(57)【要約】【課題】浴室１内に入浴者がいる場合に、人体センサ２で入浴者の移動状態を監視しておき、所定時間連続して人体センサ２が身体の移動を検知しない場合には居間などに警告を発する装置５が設けられている。一方、浴室テレビ４を鑑賞している状態ではあまり身体を動かさないので、入浴者に特に異常が生じていない場合であっても警告が発せられるという不具合が生じる。但し、浴室テレビ４が作動している場合に警告の発生を禁止すると、事故発生時に不都合が生じる。【解決手段】浴室テレビ４が作動している場合には、作動していない場合よりも警告が発せられるまでの時間を長く設定することにより、無駄な警告発生を抑制すると共に、事故発生の場合に不都合が生じないようにした。【選択図】  図１
2007054501.tif 000002
【特許請求の範囲】
【請求項１】
浴室内の人体を検知し、人体が所定時間移動しない場合に所定の警告を発する浴室警告発生装置において、浴室内で視聴可能な視聴覚装置の作動状態を検知し、身体が移動しないと判断して警告を発するまでの上記所定時間を、視聴覚装置が作動していない場合より視聴覚装置が作動している場合の方が長くなるように変更することを特徴とする浴室警告発生装置。
【請求項２】
浴室内の人体によって操作される時間延長手段を設け、視聴覚装置が作動している状態で上記警告が発せられた場合に、この時間延長手段が操作されないと上記警告より緊急度の高い最終警告を発することを特徴とする請求項１に記載の浴室警告発生装置。
【発明の詳細な説明】
【技術分野】
【０００１】
本発明は、入浴中に入浴者が所定時間移動しない場合に、事故等の発生が考えられるため、警告を発する浴室警告発生装置に関する。
【背景技術】
【０００２】
入浴は人体に負担をかける場合があり、浴室内で入浴中に意識を失うなどの事故が発生するおそれがある。このような事故が発生すると、早期に発見し適切な手当をする必要がある。そのため、浴室内の人体の移動を検知することのできるセンサを設けて、人体が所定時間移動しない場合に、ブザーなどの警告を発する装置が多数提案されている（例えば、特許文献１参照）。なお、特許文献１により開示されたものは人体から発せられる赤外線を検知するものであるが、超音波を発し、人体で反射して帰ってくる超音波のドップラー効果から人体の移動を検知するセンサや、人体の移動によって生じる音を検知するセンサ等、種々の形式のセンサが用いられている。
【０００３】
一方、近年浴室内でテレビを鑑賞するため、浴室の壁面に浴室テレビが設置される場合が増加している。また、浴室の天井などにオーディオスピーカを設置し、入浴中に高音質の音楽を鑑賞する場合が増加している。このようなテレビ装置やオーディオ装置といった視聴覚装置を作動していると、通常の場合より人体の移動しない時間が長くなる。そこで、浴室テレビの作動時間が所定の時間を過ぎると警告を発する装置が提案されている（例えば、特許文献２参照）。
【０００４】
また、浴室内に人体センサを設けて、所定時間経過前に入浴者が浴室から出ると自動的に浴室テレビの電源をオフにする装置が提案されており（例えば、特許文献３参照）、このものでは人体センサによって検知される人体が所定時間動かない場合に警告を発する機能が備えられている。
【特許文献１】特開２００５−１６５９９３号公報（請求項１）
【特許文献２】特開２００３−１０６６５０号公報（請求項１、第１図）
【特許文献３】特開２００４−２４５９０号公報（段落００１５）
【発明の開示】
【発明が解決しようとする課題】
【０００５】
上記特許文献１に記載されているような、人体が所定時間動かない場合に警告を発する装置を設置した浴室では、入浴中に浴室テレビやオーディオ装置といった視聴覚装置を作動させてテレビ画像や音楽を鑑賞する際に、頻繁に身体を動かさないと、所定時間毎に警告が発せられるという不具合が生じる。
【０００６】
また、特許文献２や特許文献３に記載されたものでは、浴室テレビを作動させてから所定時間が経過すると必ず警告が発せられるので、身体に異常が生じていない場合でも警告が発せられるという煩わしさがある。
【０００７】
なお、視聴覚装置を作動している間は特許文献１に記載されているような装置の作動を停止させれば、特許文献２や特許文献３に記載の装置で設定されている１時間や２時間といった長時間警告が発せられないので、万一入浴者に異常が生じた場合に、発見が遅れるという不具合が生じる。
【０００８】
そこで本発明は、上記の問題点に鑑み、上述の不具合の生じない浴室警告発生装置を提供することを課題とする。
【課題を解決するための手段】
【０００９】
上記課題を解決するために本発明による浴室警告発生装置は、浴室内の人体を検知し、人体が所定時間移動しない場合に所定の警告を発する浴室警告発生装置において、浴室内で視聴可能な視聴覚装置の作動状態を検知し、身体が移動しないと判断して警告を発するまでの上記所定時間を、視聴覚装置が作動していない場合より視聴覚装置が作動している場合の方が長くなるように変更することを特徴とする。
【００１０】
視聴覚装置を作動させている状態では、テレビ画面を見たり音楽を聴くため、入浴者の身体の移動は、視聴覚装置が作動していない場合より少なくなる。そのため、身体が移動しない時間が長くなる。そこで、身体を頻繁に移動させるであろう視聴覚装置が作動していない場合よりも、視聴覚装置が作動している場合では警告が発せられるまでの所定時間を長くすることとした。
【００１１】
なお、浴室内の人体によって操作される時間延長手段を設け、視聴覚装置が作動している状態で上記警告が発せられた場合に、この時間延長手段が操作されないと、入浴者に何らかの事故が生じた可能性があるので、上記警告より緊急度の高い最終警告を発することとした。
【発明の効果】
【００１２】
以上の説明から明らかなように、本発明は、視聴覚装置の作動している場合と作動してない場合とで各々最適な所定時間で警告を発するように構成したので、視聴覚装置を作動させている場合であっても、音楽やテレビ画像の鑑賞の邪魔をすることなく、万一事故が生じたときには早期に入浴者に手当をすることができる。
【発明を実施するための最良の形態】
【００１３】
図１を参照して、１は浴室であり、入浴者がこの浴室１内に出入りするためのドア１１が設けられている。また、浴室１の天井には赤外線式の人体センサ２が取り付けられている。この人体センサ２は浴室内の人体の有無の他、人体が浴室１内で移動したか否かを検知することができる。
【００１４】
上記ドア１１にはドアスイッチ３が取り付けられている。このドアスイッチ３は、本実施の形態では、ドア１１が閉められるとオンになるように設定されている。
【００１５】
４は浴室１の壁面に取り付けられた浴室テレビである。この浴室テレビ４はチューナ部４１が別体に設けられ、チューナ部４１は浴室１の天井裏に収納されている。
【００１６】
５は警告発生装置の本体であり、所定の異常状態が発生すると浴室テレビ４のスピーカから警告音声を発し、あるいは図外の居間などに警告を発するものである。なお、浴室１の天井にスピーカを設け、そのスピーカから警告を発するようにしてもよい。
【００１７】
図２を参照して、ドア１１が閉められ（Ｓ１）、かつ人体センサ２が浴室１内に入浴者が存在することを検知すると（Ｓ２）、本体５内のタイマーＴは計時をスタートする（Ｓ３）。スタート直後にタイマＴを一旦リセットしたあと（Ｓ４）、浴室テレビ４が作動しているかを判断する（Ｓ５）。
【００１８】
浴室テレビ４が作動している場合には入浴者はテレビ画像を鑑賞しているものと考えられる。そのため、鑑賞していない場合より身体の移動周期が長くなると思われる。そこで、入浴者の人体が移動するかを人体センサ２で監視しながら、連続してＴ１の間、人体が移動しなければ第１警告を発するようにした（Ｓ７，Ｓ８）。ただし、経過時間がＴ１に達するまでに入浴者が移動すれば、タイマＴをリセットしてＴ＝０から改めて計時することとした（Ｓ６，Ｓ４）。また、上記第１警告とは、入浴者に対して身体の移動を促すもので、例えば「大丈夫ですか？立ち上がって少し移動してください」というメッセージを浴室１内に発する。
【００１９】
これに対して、浴室テレビ４が作動していない状態では、比較的短時間で身体を移動させると考えられるので、上記Ｔ１より短いＴ２の間、身体が移動しないかを監視し（Ｓ５，Ｓ１３）、Ｔ２の間に身体センサ２が身体移動を検知しなければ上記の第１警告を発するようにした（Ｓ１４）。なお、Ｔ２の間に身体の移動が検知できた場合にはタイマＴをリセットし（Ｓ１２）、第１警告を聞いて身体を移動させた場合にも同様にもタイマＴをリセットするようにした（Ｓ１５）。
【００２０】
ただし、浴室テレビ４が作動している状態、すなわちテレビ画面を鑑賞している場合には、Ｓ８で第１警告を発したあと、続けて浴室テレビ４に設けた時間延長スイッチを押すように促すようにした。そして、時間延長スイッチを押すように促しても時間延長スイッチが押されない場合や、Ｓ１４の第１警告のあとに身体移動が検知できない場合には、第２警告を発するようにした（Ｓ１６）。この第２警告とは、浴室１内にメッセージを発すると共に、浴室１以外の居間などに、例えば「浴室へ行って入浴者をチェックしてください」というメッセージを発するようにした。
【００２１】
なお、時間延長スイッチが押されると、Ｔ３の間時間が延長され（Ｓ１０，Ｓ１１）、途中で身体の移動がされても、Ｔ３経過後に第１警告を発して、再度時間延長がされない場合には第２警告を発するようにした。
【００２２】
ところで、上記フロー中に入浴者が浴室１から退出すると、ドアスイッチ３が一旦オフになるので、フローを中断しＳ１に戻るようにした。また、図示しないが浴室１内に緊急スイッチを設け、緊急スイッチが押されるとフローに関係なく直ちにＳ１６に移動して第２警告が発せられるようにした。なお、その場合であってもドア１１が開けられるとフローがリセットされて第２警告が停止するようにしてもよい。
【００２３】
なお、本発明は上記した形態に限定されるものではなく、本発明の要旨を逸脱しない範囲内において種々の変更を加えてもかまわない。
【図面の簡単な説明】
【００２４】
【図１】本発明の一実施の形態の構成を示す図
【図２】警告を発するステップを示すフロー図
【符号の説明】
【００２５】
１  浴室
２  人体センサ
３  ドアスイッチ
４  浴室テレビ
５  警告発生装置の本体
【図１】
2007054501.tif 000003
【図２】
2007054501.tif 000004